(57)【特許請求の範囲】
【請求項１】
所定の間隔をもって配列された複数の縦桟材を有するルーバーユニットが建物の外壁面に対して取り付けられてなるルーバーシステムであって、
前記外壁面に対して水平に固定された長尺状の下地材と、
前記複数の縦桟材と、前記複数の縦桟材の裏面側に水平に固定されて前記下地材に係合する連結材と、を有する複数のルーバーユニットと、を備え、
前記連結材は、前記下地材に対して係合する係合片を有すると共に、前記下地材は、上方に開口して前記係合片を受け入れる受け部を有しており、
前記受け部には、前記外壁面に直交する方向における前記係合片の移動を規制する規制部が形成されていることを特徴とするルーバーシステム。
【請求項２】
前記複数のルーバーユニットの少なくとも一つは、前記連結材の水平方向の一端縁が前記複数の縦桟材の一端面に略一致すると共に、前記連結材の水平方向の他端縁が前記複数の縦桟材の他端面から延出しており、その延出長さが前記複数の縦桟材同士の間隔に等しいことを特徴とする請求項１記載のルーバーシステム。
【請求項３】
前記建物は所定の平面モジュールを有する規格化建物であり、
前記ルーバーユニットにおける前記複数の縦桟材の配列ピッチは、前記平面モジュールの整数分の１であることを特徴とする請求項１または２記載のルーバーシステム。
【請求項４】
前記下地材は、前記建物の躯体から持ち出されたアンカー部材に固定されていることを特徴とする請求項１〜３のいずれか一項記載のルーバーシステム。
【請求項５】
前記アンカー部材は前記外壁面から突出しており、前記外壁面と前記下地材とが離隔していることを特徴とする請求項４記載のルーバーシステム。
【発明の詳細な説明】
【技術分野】
【０００１】
本発明は、ルーバーシステムに関し、特に、所定の間隔をもって配列された複数の縦桟材を有するルーバーユニットが建物の外壁面に対して取り付けられてなるルーバーシステムに関する。
【背景技術】
【０００２】
従来、このような分野の技術として、下記特許文献１に記載されるように、等しい間隔をもって複数の縦桟材が配列されたルーバーユニット（パネル）を有し、建物の壁部に固定された横桟にこのルーバーユニットが固定された装置が知られている。この装置のルーバーユニットは、複数の縦桟材が固定された横長部を有しており、この横長部が横桟に引っ掛けられることにより、ルーバーユニットが取り付けられる。
【０００３】
このルーバーユニットでは、横長部の端縁は、屋外側から見えないように縦桟材の左右方向中間部すなわち縦桟材の後方に位置している。この装置では、このように横長部の端縁を縦桟材の後方に位置させることで、一のルーバーユニットと他のルーバーユニットとの横長部同士を突き当てることにより形成される横長部の継ぎ目を縦桟材の後方に隠し、前方から見えないようにしている。
【先行技術文献】
【特許文献】
【０００４】
【特許文献１】特開２０１０−１４４４６５号公報
【発明の概要】
【発明が解決しようとする課題】
【０００５】
しかしながら、特許文献１に記載の装置では、横長部の端縁を縦桟材の後方に位置させているため、横桟に取り付けられた一のルーバーユニットに続いて他のルーバーユニット取り付ける際には、当該他のルーバーユニットの横長部を横桟に引っ掛けた上で、ユニット全体を側方にスライドさせる必要がある。また、横長部同士の継ぎ目が縦桟材の後方に隠れるため、ルーバーユニットが適切に取り付けられたか否かを目視により確認することは難しい。このように、ルーバーユニットを確実かつ容易に取り付けることは難しかった。
【０００６】
本発明は、ルーバーユニットを確実かつ容易に取り付けることができるルーバーシステムを提供することを目的とする。
【課題を解決するための手段】
【０００７】
上記課題を解決したルーバーシステムは、所定の間隔をもって配列された複数の縦桟材を有するルーバーユニットが建物の外壁面に対して取り付けられてなるルーバーシステムであって、外壁面に対して水平に固定された長尺状の下地材と、複数の縦桟材と、複数の縦桟材の裏面側に水平に固定されて下地材に係合する連結材と、を有する複数のルーバーユニットと、を備え、連結材は、下地材に対して係合する係合片を有すると共に、下地材は、上方に開口して係合片を受け入れる受け部を有しており、受け部には、外壁面に直交する方向における係合片の移動を規制する規制部が形成されていることを特徴とする。
また、複数のルーバーユニットの少なくとも一つは、連結材の水平方向の一端縁が複数の縦桟材の一端面に略一致すると共に、連結材の水平方向の他端縁が複数の縦桟材の他端面から延出しており、その延出長さが複数の縦桟材同士の間隔に等しい。
【０００８】
このルーバーシステムによれば、複数のルーバーユニットの少なくとも一つにおいて、連結材の水平方向の一端縁が複数の縦桟材の一端面に略一致すると共に、連結材の水平方向の他端縁が複数の縦桟材の他端面から延出するため、ルーバーユニットの取り付けにあたり、一のルーバーユニットの他端側で延出した連結材に、他のルーバーユニットの一端側の連結材を当接させるだけでよく、ルーバーユニットをスライドさせる必要がない。すなわち、連結材を縦桟材の後方に入り込ませる必要はなく、下地材に係合された一のルーバーユニットに隣接するようにして他のルーバーユニットを係合させるだけでよい。また、連結材同士の継ぎ目は複数の縦桟材の一端面に位置することとなるため、ルーバーユニットが適切に取り付けられたことを目視により確認できる。よって、ルーバーユニットを確実かつ容易に取り付けることができる。さらには、連結材の延出長さが複数の縦桟材同士の間隔に等しいため、複数のルーバーユニットを下地材に並べて取り付けた際、すべての縦桟材同士の間隔が等しくなり、意匠性に優れる。また、下地材の受け部に係合片を上方から嵌め込むことができ、ルーバーユニットの取り付けが一層容易になる。さらに、受け部に形成された規制部によって、外壁面に直交する方向における係合片の移動が規制されるため、当該方向の動きを固定するためのビス等を別途用いる必要がなく、構造の簡略化が図られる。
【０００９】
また、上記ルーバーシステムにおいて、建物は所定の平面モジュールを有する規格化建物であり、ルーバーユニットにおける複数の縦桟材の配列ピッチは、平面モジュールの整数分の１である。この場合、建物の平面モジュールが縦桟材の配列ピッチの整数倍に等しくなるため、どのような外壁面に対しても縦桟材が綺麗に収まり、外観意匠性に優れた建物とすることができる。
【００１０】
また、上記ルーバーシステムにおいて、下地材は、建物の躯体から持ち出されたアンカー部材に固定されている。この場合、ルーバーユニットが取り付けられる下地材は建物の躯体から持ち出されているため、ルーバーユニットの取り付け強度を向上させることができる。
【００１１】
また、上記ルーバーシステムにおいて、アンカー部材は外壁面から突出しており、外壁面と下地材とが離隔している。この場合、外壁面と下地材とが離隔しているため、外壁面のメンテナンス性に優れる。
【発明の効果】
【００１３】
本発明によれば、できる。
【図面の簡単な説明】
【００１４】
【図１】一実施形態に係るルーバーシステムを備えた建物を示す正面図である。
【図２】図１の建物の２階部分の間取りを示す平断面図である。
【図３】（ａ）は図１中のルーバーシステムを示す斜視図、（ｂ）は下地材に対するルーバーユニットの取り付けを示す斜視図である。
【図４】（ａ）は階層間における取り付け構造を示す断面図、（ｂ）は基礎に対する取り付け構造を示す断面図である。
【図５】（ａ）〜（ｄ）は各種のルーバーユニットを示す平面図である。
【図６】規格化建物におけるルーバーシステムの一配置例を示す図である。
【図７】規格化建物におけるルーバーシステムの他の配置例を示す図である。
【図８】規格化建物におけるルーバーシステムの更に他の配置例を示す図である。
【図９】下地材に対する連結材の嵌め込みを示す側面図である。
【発明を実施するための形態】
【００１５】
以下、本発明の実施形態について、図面を参照しながら説明する。
【００１６】
図１および図２に示されるように、本実施形態のルーバーシステム1を備えた建物２は、３０５ｍｍの平面モジュールＭを有する２階建ての工業化住宅（規格化建物）である。なお、本実施形態では、規格化建物の一例として工業化住宅を説明するが、本来、規格化建物とは、規格化（もしくは標準化）された複数の部材の組み合わせにより構築される建物を広く含む。また、平面モジュールＭとは、建築において設計上の基準となる基本寸法を意味し、建物の各部分を一定の大きさの倍数で統一するときの基準となる大きさを意味する。また、本実施形態では、ルーバーシステム１が工業化住宅に適用される場合について説明するが、ルーバーシステムは、工業化住宅以外の建物に適用することもできる。また、２階建てに限られず、１階建ての建物に適用してもよく、３階建て以上の建物に適用してもよい。
【００１７】
工業化住宅である建物２を建築する際には、敷地の形状や所望の間取りに合わせて縦、横の通り芯Ｌ（図６等参照）が設定される。通り芯Ｌとは、構造柱や構造柱間に架け渡される梁の配置の基準線であり、構造柱を割り付ける際などに利用され、例えば、縦、横の通り芯Ｌの交点に構造柱が設置される。また、通り芯Ｌは、外壁３を形成する際の基準になり、外壁３の出寸法、すなわち、外通りの通り芯Ｌから外壁面３ａまでの距離が所定の値となるように設定される。本実施形態に係る外壁３の出寸法は、平面モジュールＭの整数分の１、具体的には、２分の１に設定されている。
【００１８】
建物２は、外壁面３ａの一部を覆う２つのルーバーシステム１を備えている。一方のルーバーシステム１は、建物２の１階部分の外壁面３ａに取り付けられて、開口部４を覆っている。他方のルーバーシステム１は、建物２の２階部分の外壁面３ａに取り付けられて、開口部６を覆っている。１階の開口部４には、窓が設けられている。一方、２階の開口部６には、窓は設けられていない。したがって、２階に取り付けられたルーバーシステム１は、居住者の落下防止機能を兼ね備えている。これらのルーバーシステム１は、異なる階層に取り付けられているが、基本的な構成は同様とされている。
【００１９】
以下、２階部分のルーバーシステム１について説明する。このルーバーシステム１は、建物２の２階に形成された外部空間７に対して取り付けられている。この外部空間７は、建物２の南側角部に形成された架構内外部空間である。外部空間７は、外部床７ａを有すると共に、居室空間５に面する側面８ａ，８ｂと、居室空間５に面さずに架構の外周部に沿う側面８ｃ，８ｄとによって包囲されている。
【００２０】
側面８ａ，８ｂは、その大部分が開口部１０ａ，１０ｂとされており、この開口部１０ａ，１０ｂに、開閉可能なガラス窓（図示せず）が設けられている。これらの開口部１０ａ，１０ｂを介して、居住者が室内外を出入り可能になっている。
【００２１】
一方、側面８ｃには上記した開口部６が形成されており、この開口部６を覆うようにして、ルーバーシステム１が設置されている。側面８ｄには壁部９が設けられており、この壁部９の一部には、開口部９ａが形成されている。この開口部９ａは、高さ方向については腰位置から屋上階床梁近傍まで、幅方向については部分的に形成されている。外部空間７の上面には、屋根の全部または一部が開口されて、吹き抜け部１１が形成されている。
【００２２】
このよう外部空間７およびルーバーシステム１を備えることで、たとえば手摺り等を要することなく安全な外部空間を形成でき、さらには、十分な採光や通風が得られると共に、ルーバーシステム１が目隠しとなって外部からの視線を遮り、居住者のプライバシーを確保している。
【００２３】
図３（ａ）は、図１中のルーバーシステム１を示す斜視図、図３（ｂ）は、下地材に対するルーバーユニットの取り付けを示す斜視図である。図３（ａ）および図３（ｂ）に示されるように、ルーバーシステム１は、所定の間隔をもって配列された複数の縦桟材２１を有するルーバーユニット２０を、建物２の外壁面３ａに沿って水平方向に複数並設することにより形成されている。これらのルーバーユニット２０は、建物２の外壁面３ａに対して水平に固定された２本の長尺状の壁際材（下地材）１６に取り付けられている。各ルーバーユニット２０は、壁際材１６に対向する位置に設けられて複数の縦桟材２１が固定された２本の胴縁（連結材）２２を有している。すなわち、胴縁２２は、複数の縦桟材２１の裏面側に固定されている。この胴縁２２が壁際材１６に対して係合し、固定されることにより、ルーバーユニット２０が壁際材１６に固定される。壁際材１６は、上記した開口部６よりも上方および下方の外壁面３ａに設けられている。
【００２４】
次に、外壁面３ａに対する壁際材１６の固定について説明する。図４（ａ）は、階層間における取り付け構造を示す断面図、図４（ｂ）は、基礎に対する取り付け構造を示す断面図である。図４（ａ）では、２階に取り付けられたルーバーシステム１の下部と、１階に取り付けられたルーバーシステム１（図１参照）の上部とが示されている。
【００２５】
図４（ａ）に示されるように、１階／２階間の取り付け構造Ａにおいては、２階床梁（躯体）２３に固定されてこの２階床梁２３から持ち出されたアンカー部材２４に、各壁際材１６が固定されている。より具体的には、アンカー部材２４は、２階床梁２３のウェブ部２３ａに固定された鋼板材からなるブラケット２６と、ブラケット２６の先端部の上下に固定された円筒状のナット２７と、ナット２７に螺合するボルト２８とから構成されている。これらのブラケット２６およびナット２７は、外壁３を構成するＡＬＣ製の壁パネル２９，２９間の合わせ部に介在されている。
【００２６】
アンカー部材２４のナット２７は、外壁面３ａから所定長さ突出している。このアンカー部材２４に壁際材１６が固定されることで、外壁面３ａと壁際材１６とが離隔しており、これらの間には隙間Ｓが形成されている。そのため、ルーバーシステム１を取り付けた状態においても外壁面３ａのメンテナンスが容易に行えるようになっている。壁際材１６に対する胴縁２２の接合については後述する。
【００２７】
図４（ｂ）に示されるように、基礎に対する取り付け構造Ｂにおいては、基礎（躯体）３０に固定されてこの基礎３０から持ち出されたアンカー部材３１に、壁際材１６が固定されている。より具体的には、アンカー部材３１は、２枚の断面Ｌ字状の取り付け金具３２ａ，３２ｂと、取り付け金具３２ａを基礎３０に対して固定するためのボルト・ナット３３と、取り付け金具３２ａ，３２ｂ同士を接合するためのボルト・ナット３４と、取り付け金具３２ｂに壁際材１６を固定するためのボルト・ナット３６とから構成されている。この取り付け構造Ｂにおいても、外壁面３ａと壁際材１６は離隔しており、外壁面３ａのメンテナンスが容易に行えるようになっている。
【００２８】
次に、ルーバーユニット２０の構成について説明する。図５（ａ）〜（ｄ）は、ルーバーシステム１に用いられる各種のルーバーユニット２０を示す平面図である。本実施形態のルーバーシステム１では、ルーバーユニット２０Ａ〜２０Ｄの４種類のルーバーユニットが用いられる。これらは建物２の外壁面３ａの構成によって適宜組み合わせられるものである。
【００２９】
図５（ａ）に示されるルーバーユニット２０Ａは、８本の縦桟材２１を有しており、建物２の外側から見て右側専用として用いられるルーバーユニットである。図５（ｂ）に示されるルーバーユニット２０Ｂは、７本の縦桟材２１を有しており、建物２の外側から見て左側および中間部に用いられるルーバーユニットである。図５（ｃ）に示されるルーバーユニット２０Ｃは、６本の縦桟材２１を有しており、建物２の外側から見て右側専用として用いられるルーバーユニットである。図５（ｄ）に示されるルーバーユニット２０Ｄは、５本の縦桟材２１を有しており、建物２の外側から見て左側および中間部に用いられるルーバーユニットである。
【００３０】
これらのルーバーユニット２０Ａ〜２０Ｄにおいては、縦桟材２１の配列ピッチは、６１ｍｍであり、３０５ｍｍの平面モジュールＭの５分の１（整数分の１）となっている。また、ルーバーユニット２０Ａ，２０Ｃにおいては、胴縁２２の左右端縁２２ａ，２２ｂは、複数の縦桟材２１の左右端面２１ａ，２１ｂに一致している。一方、ルーバーユニット２０Ｂ，２０Ｄにおいては、向かって左側の端縁（一端縁）２２ａは縦桟材２１の左側の端面（一端面）２１ａに一致しているが、向かって右側の端縁（他端縁）２２ｂは、縦桟材２１の右側の端面（他端面）２１ｂから長さＲだけ延出している。そして、この延出長さＲは、縦桟材２１同士の間隔に等しくなっている。なお、ルーバーユニット２０Ａ，２０Ｂ，２０Ｃ，２０Ｄの幅Ｗ１，Ｗ２，Ｗ３，Ｗ４は、それぞれ４５８ｍｍ、４２７ｍｍ、３３６ｍｍ、３０５ｍｍである。
【００３１】
このようなルーバーユニット２０Ａ〜２０Ｄを組み合わせることにより、規格化建物におけるどのような外壁面３ａにも、美観を損なうことなくルーバーシステム１を取り付けることができる。
【００３２】
たとえば、図６に示されるような構造においては、向かって左側から、１個のルーバーユニット２０Ｂ、Ｎ個（Ｎは正の整数）のルーバーユニット２０Ｄ、および１個のルーバーユニット２０Ｃを並設することで外壁面３ａおよび開口部６を覆うルーバーシステム１Ａとすることができる。
【００３３】
また、図７に示されるような構造においては、向かって左側から、１個のルーバーユニット２０Ｄ、Ｎ個（Ｎは正の整数）のルーバーユニット２０Ｄ、および１個のルーバーユニット２０Ａを並設することで外壁面３ａおよび開口部６を覆うルーバーシステム１Ｂとすることができる。
【００３４】
また、図８に示されるような構造においては、向かって左側から、１個のルーバーユニット２０Ｂ、Ｎ個（Ｎは正の整数）のルーバーユニット２０Ｄ、および１個のルーバーユニット２０Ａを並設することで外壁面３ａおよび開口部６を覆うルーバーシステム１Ｃとすることができる。
【００３５】
次に、壁際材１６に対する胴縁２２の接合について説明する。図９に示されるように、外壁面３ａに対して固定された壁際材１６は、断面Ｌ字状をなしている。壁際材１６は、ナット２７およびボルト２８によって起立片４２ａが固定されたＬ字状のベース板４２と、その起立片４２ａの上部から前方かつ水平に張り出すと共にその前端が上向きに折り返された（図９に示される折り返し部４０ａ）Ｌ字状の受け部４０と、ベース板４２の水平片４２ｂの前端から立ち上がると共にその上端が後ろ向き（外壁面３ａ側）に折り返されたＬ字状の引掛け部４１とを有している。受け部４０は、上方に開口している。
【００３６】
一方、縦桟材２１の裏面側にビス４５によって固定された胴縁２２は、断面逆Ｌ字状をなしており、壁際材１６に嵌合されることにより断面四角形の接合部Ｄ（図４参照）を構成する。胴縁２２は、ビス４５によって垂直片３９ａが固定された逆Ｌ字状のベース板３９と、ベース板３９の水平片３９ｂの後端から垂下すると共にその下端が前向きに折り返されたＬ字状の係合片３７と、ベース板３９の垂直片３９ａの下部から後方かつ水平に延びると共にその後端が下向きに折り返されたＬ字状の係合片３８とを有している。
【００３７】
上記構成を有する壁際材１６および胴縁２２において、ルーバーユニット２０が取り付けられる際には、壁際材１６の受け部４０に胴縁２２の係合片３７が上方から嵌入されると共に、壁際材１６の引掛け部４１に胴縁２２の係合片３８が上方から引っ掛けられる。すなわち、壁際材１６の受け部４０は、上方の開口を介して胴縁２２の係合片３７を受け入れる。そして、ルーバーユニット２０が壁際材１６に取り付けられた状態では、胴縁２２および縦桟材２１は、前後方向（外壁面３ａに直交する方向）への移動を規制される。すなわち、受け部４０の折り返し部４０ａが胴縁２２の前方（図示左方向）への移動を規制すると共に、起立片４２ａの上部が胴縁２２の後方（図示右方向）への移動を規制する。折り返し部４０ａは、係合片３７の前後方向における移動を規制する規制部に相当する。このようにして、胴縁２２の位置決めがなされる。なお、胴縁２２は、図示しないビスによって壁際材１６に対して固定され、これによって横方向（壁際材１６の延在方向）の移動が拘束される。
【００３８】
以上説明した本実施形態のルーバーシステム１によれば、複数のルーバーユニット２０のうちルーバーユニット２０Ｂ，２０Ｄにおいて、胴縁２２の水平方向の一端縁２２ａが複数の縦桟材２１の一端面２１ａに略一致すると共に、胴縁２２の水平方向の他端縁２２ｂが複数の縦桟材２１の他端面２１ｂから延出するため、ルーバーユニット２０の取り付けにあたり、一のルーバーユニット２０の他端側で延出した胴縁２２に、他のルーバーユニット２０の一端側の胴縁２２を当接させるだけでよく、ルーバーユニット２０をスライドさせる必要がない。すなわち、胴縁２２を縦桟材２１の後方に入り込ませる必要はなく、壁際材１６に係合された一のルーバーユニット２０に隣接するようにして他のルーバーユニット２０を係合させるだけでよい。また、胴縁２２同士の継ぎ目５０（図６〜図８参照）は複数の縦桟材２１の一端面に位置することとなるため、ルーバーユニット２０が適切に取り付けられたことを目視により確認できる。よって、ルーバーユニット２０を確実かつ容易に取り付けることができる。さらには、胴縁２２の延出長さＲが複数の縦桟材２１同士の間隔に等しいため、複数のルーバーユニット２０を壁際材１６に並べて取り付けた際、すべての縦桟材２１同士の間隔が等しくなり、意匠性に優れる。
【００３９】
また、建物２の平面モジュールＭが縦桟材２１の配列ピッチＰの整数倍に等しくなるため、どのような外壁面３ａに対しても縦桟材２１が綺麗に収まり、外観意匠性に優れた建物とすることができる。
【００４０】
また、ルーバーユニット２０が取り付けられる壁際材１６は建物２の２階床梁２３や基礎３０から持ち出されているため、ルーバーユニット２０の取り付け強度が向上される。
【００４１】
また、外壁面３ａと壁際材１６とが離隔しているため、外壁面３ａのメンテナンス性に優れる。
【００４２】
さらにまた、壁際材１６の受け部４０に係合片３７を上方から嵌め込むことができるため、ルーバーユニット２０の取り付けが一層容易になる。さらに、受け部４０に形成された折り返し部４０ａによって、外壁面３ａに直交する方向における係合片３７の移動が規制されるため、当該方向の動きを固定するためのビス等を別途用いる必要がなく、構造の簡略化が図られる。
【００４３】
以上、本発明の実施形態について説明したが、本発明は上記実施形態に限られるものではない。たとえば、上記実施形態では、壁際材１６が外壁面３ａから離隔している場合について説明したが、壁際材１６が外壁面３ａ上に固定されてもよい。縦桟材２１の配列ピッチＰは、平面モジュールＭとは無関係に設定されてもよい。
【符号の説明】
【００４４】
１…ルーバーシステム、２…建物、３ａ…外壁面、１６…壁際材（下地材）、２０…ルーバーユニット、２１…縦桟材、２２…胴縁（連結材）、２３…２階床梁（躯体）、２４…アンカー部材、３０…基礎（躯体）、３１…アンカー部材、３７…係合片、４０…受け部、４０ａ…折り返し部（規制部）、Ｐ…配列ピッチ、Ｒ…延出長さ。
【図１】
0005955025.tif 000002
【図２】
0005955025.tif 000003
【図３】
0005955025.tif 000004
【図４】
0005955025.tif 000005
【図５】
0005955025.tif 000006
【図６】
0005955025.tif 000007
【図７】
0005955025.tif 000008
【図８】
0005955025.tif 000009
【図９】
0005955025.tif 000010